(57)【要約】【課題】アドレス設定対象の中継器のみを火災受信機及び他の中継器から切り離すことのできる中継器を提供する。【解決手段】基板２が収納された筐体と、基板２に実装された伝送回路１１及び電源回路１２にプリント配線を通して接続され、火災受信機及び隣接する他の中継器からの信号を授受するための幹線用の端子台３と、前記のプリント配線を通して伝送回路１１に接続されたアドレス入力用のコネクタ６とを有する中継器において、筐体にコネクタ６を覆うように設けられたカバー７と、カバー７の操作によりコネクタ６が露出したときに、幹線用の端子台３と伝送回路１１及び電源回路１２との接続を遮断するマイクロスイッチ５とを備えた。【選択図】図３
2008003908.tif 000002
【特許請求の範囲】
【請求項１】
基板が収納された筐体と、前記基板に電路を通して接続され、火災受信機及び他の中継器からの信号を授受するための端子台と、前記基板に前記電路を通して接続されたコネクタとを有する中継器において、
前記筐体に前記コネクタを覆うように設けられたカバーと、
前記カバーの操作により、前記端子台と前記基板との接続状態を切り替える切替スイッチと
を備えたことを特徴とする中継器。
【請求項２】
前記カバーは、前記コネクタ側と対向する面に突起部が形成され、
前記切替スイッチは、前記カバーの開放操作により前記コネクタが露出したときに、前記突起部により押圧されて前記端子台と前記基板との接続を遮断し、前記カバーの閉塞操作により前記コネクタを覆ったときに復帰し、前記端子台と前記基板とを接続することを特徴とする請求項１記載の中継器。
【発明の詳細な説明】
【技術分野】
【０００１】
本発明は、火災受信機と熱感知器、煙感知器などの端末機器との間に設けられた中継器に関するものである。
【背景技術】
【０００２】
従来の中継器として、内部に設けられた基板に直接接続された２本のリード線を備えたものがある。この２本のリード線は、隣接する中継器の端子穴に挿入して双方を接続するものであり、信号や電源の渡り配線として用いられている（例えば、特許文献１参照）。
【特許文献１】特開２００４−２５２６２５号公報（第４頁、図１，２）
【発明の開示】
【発明が解決しようとする課題】
【０００３】
前述した従来の中継器では、中継器同士の接続が容易であるが、中継器に接続されている端末機器のアドレスを設定する場合、設定対象の中継器をこれと接続されている他の中継器から切り離さなければならず、また、アドレスの設定が終了したときには、再び接続しなければならず、リード線の抜き差し作業が煩雑であった。特に中継器が多く配列されていた場合には、その作業時間がかかるという課題があった。また、アドレスを設定している際、これによって切り離された他の中継器が火災受信機によって監視されないという状態になっていた。
【０００４】
本発明は、前記のような課題を解決するためになされたもので、アドレス設定対象の中継器のみを火災受信機及び他の中継器から切り離すことのできる中継器を提供することを目的とする。
【課題を解決するための手段】
【０００５】
本発明に係る中継器は、基板が収納された筐体と、その基板に電路を通して接続され、火災受信機及び他の中継器からの信号を授受するための端子台と、基板に電路を通して接続されたコネクタとを有する中継器において、筐体にコネクタを覆うように設けられたカバーと、カバーの操作により、端子台と基板との接続状態を切り替える切替スイッチとを備えたものである。
【発明の効果】
【０００６】
本発明においては、カバーの操作によりコネクタが露出したときに、端子台と基板との接続を遮断するようにしたので、本中継器を火災受信機や他の中継器から切り離すための配線作業が不要になり、また、本中継器の端子台を通じて火災受信機と他の中継器とが接続されたままであるため、火災受信機による他の中継器の監視を継続することができる。
【発明を実施するための最良の形態】
【０００７】
図１は本発明の実施の形態に係る中継器を示すカバー閉塞時の外観図、図２は中継器のカバーをスライドして示す開放時の外観図、図３は中継器の概略構成を示すブロック回路図である。なお、図１（ａ）及び図２（ａ）は中継器の内部を示す断面図であり、図１（ｂ）及び図２（ｂ）は中継器の正面図である。
本実施の形態の中継器は、熱感知器、煙感知器などの端末機器の設置数に応じて用意され、図示せぬ中継器盤に収納されるものである。この中継器は、筐体１と、筐体１に収納された基板２と、幹線用及び外線用の各端子台３，４と、切替スイッチである例えばマイクロスイッチ５と、例えばアドレス設定器（図示せぬ）と接続するためのコネクタ６と、筐体１の正面にスライド可能に設けられたカバー７とを備えている。
【０００８】
幹線用と外線用の各端子台３，４、マイクロスイッチ５及びコネクタ６は、それぞれ基板２に実装されている。また、基板２には、図３に示すように、信号（データ）を変復調して伝送する伝送回路１１と、電源回路１２と、火災受信機と端末機器との間のデータを処理するためのＣＰＵ１３と、本中継器に接続される端末機器のアドレスを格納するための例えばEEPROM１４と、発振回路１５とが実装されている。
【０００９】
幹線用の端子台３は、図３に示すように、基板２に実装された伝送回路１１及び電源回路１２にマイクロスイッチ５を介して接続されている。また、この幹線用の端子台３には、火災受信機との間、隣接する他の中継器との間を電気的に連結する幹線用電線が接続される。この配線は、火災受信機から送られてくる電源やデータを授受したり、隣接する他の中継器から送られてくるデータを中継したりするためである。外線用の端子台４は、図示していないが、端末機器に配線された電線が接続される。
【００１０】
マイクロスイッチ５は、レバー５ａ付で、常時、伝送回路１１及び電源回路１２との接続を導通状態にし、レバー５ａが押圧されたときに導通状態を遮断し、その押圧力が解除されたときに復帰するようになっている。コネクタ６は、マイクロスイッチ５と伝送回路１１とを接続するプリント配線（電路）を介して伝送回路１１に接続されている。前述したカバー７は、マイクロスイッチ５及びコネクタ６を覆うように筐体１の正面に設けられ、コネクタ６側と対向する面に突起部７ａが形成されている。この突起部７ａは、マイクロスイッチ５のレバー５ａを押圧して、そのスイッチ５の接点を切り替えるために設けられたものである。
【００１１】
前記のように構成された中継器においてアドレス設定の際の動作について説明する。
正面に設けられたカバー７を矢印（図１（ｂ）参照）方向にスライドさせて、その部分を開放状態にすると、図２（ａ）（ｂ）に示すように、コネクタ６が露出し、カバー７の突起部７ａがマイクロスイッチ５のレバー５ａを押圧して、マイクロスイッチ５の接点をOPEN側（図３参照）に切り替えさせ、幹線用の端子台３と伝送回路１１及び電源回路１２との接続を遮断する。この時、本中継器は、マイクロスイッチ５の切り替えによって火災受信機又は他の中継器から切り離された状態となる。また、アドレス設定器の設定によるアドレスデータが本中継器のコネクタ６を介して入力された場合は、マイクロスイッチ５の切り替えによって他の中継器に伝送されることなく、伝送回路１１に入力され、ＣＰＵ１３により処理されてEEPROM１４に格納される。アドレス設定が終了した後に、前記のカバー７を逆方向にスライドさせて、開放部分を閉塞状態にすると、マイクロスイッチ５のレバー５ａが復帰し、これに連動してマイクロスイッチ５の接点が復帰し、幹線用の端子台３と伝送回路１１及び電源回路１２とを導通状態にし、火災受信機又は他の中継器との接続を復帰させる。
【００１２】
一方、本中継器のカバー７が開放状態にあるとき、本中継器を介して火災受信機に接続される他の中継器は、火災受信機からの電源供給を本中継器の幹線用の端子台３を中継して入力し、火災受信機からの火災監視に関するデータの受信や応答に関するデータの送信を本中継器の幹線用の端子台３を中継して行う。
【００１３】
以上のように本実施の形態によれば、アドレス設定の際、カバー７をスライドさせてマイクロスイッチ５の接点を切り替え、幹線用の端子台３と伝送回路１１及び電源回路１２との接続を遮断するようにしたので、中継器間の幹線用電線の取り外し作業を行うことなくアドレスの設定ができるようになり、しかも、火災受信機による他の中継器への電源供給やデータの送受を中断することなく継続して行うことが可能になり、作業中における他の中継器に対する監視を継続して行え、安全性が向上するという効果がある。
【００１４】
また、アドレス設定の際にカバー７をスライドさせてその部分を開けるようにしているので、アドレス設定の終了後、中継器を復帰させているかどうかを外見から容易に確認でき、火災受信機による未監視状態を防止できる。
【００１５】
なお、前記の実施の形態では、カバー７をスライドさせたときにマイクロスイッチ５の接点が切り替わるようにしたが、カバー７の片側を筐体１に回動自在に設けて片開きできるようにしても良い。この場合、カバー７を閉じたとき、マイクロスイッチ５のレバー５ａを押圧する位置に突起部７ａを設け、また、レバー５ａが押圧されているとき、幹線用の端子台３と伝送回路１１及び電源回路１２との接続を導通状態にするマイクロスイッチ５を用いるようにする。
【図面の簡単な説明】
【００１６】
【図１】本発明の実施の形態に係る中継器を示すカバー閉塞時の外観図である。
【図２】中継器のカバーをスライドして示す開放時の外観図である。
【図３】中継器の概略構成を示すブロック回路図である。
【符号の説明】
【００１７】
１  筐体、２  基板、３  幹線用の端子台、４  外線用の端子台、５  マイクロスイッチ、６  コネクタ、７  カバー。
【図１】
2008003908.tif 000003
【図２】
2008003908.tif 000004
【図３】
2008003908.tif 000005